(57)【特許請求の範囲】
【請求項１】
少なくとも縦方向の両辺に合じゃくりが施された複数枚の外装材を躯体外壁面に並設した外装材の取付け構造において、
横方向に隣接する外装材の合じゃくり継目部の隙間に、該躯体の層間変位復帰時に外装材の横方向の位置を所定位置に復帰させるための、躯体側から突出する横ずれ防止部材を挿入して設け、
前記横ずれ防止部材は、合じゃくり継目部の隙間に係入する押圧片を有し、この押圧片は層間変位時に垂直方向に保たれるように躯体に対し回動可能に取付けられたことを特徴とする外装材の取付け構造。
【発明の詳細な説明】
【０００１】
【発明の属する技術分野】
本発明は、建物外壁面を構成する外装材の取付け構造に関し、特に縦方向の合じゃくりが施された外装材の取付け構造およびその横ずれ防止部材に関するものである。
【０００２】
【従来の技術】
建物外壁を構成する外装材として矩形パネル状のサイディングが用いられ、外壁面に縦横に並べて取付けられる。このようなサイディング同士の接合部（目地部）には通常防水および化粧用のシリコーン系シーリング材が充填される。
【０００３】
しかしながら、シーリング材で隙間を封止してサイディング同士を接合する湿式のジョイント構造では、シーリング材が耐候性や耐汚染性および耐久性の点で劣化するという問題があり、またサイディングとの色のバランスによる意匠的な問題や変色等による外観の悪化等の問題を生じる。
【０００４】
そこで、湿式のシーリング材を充填することなくサイディング同士を連結接合してシーリング材の劣化の問題をなくすとともに現場での施工性を向上させるために、４辺に合じゃくり加工を施したサイディングが実用化されている。
【０００５】
図９は４辺合じゃくり外装材（サイディング）の形状説明図であり、（Ａ）は斜視図、（Ｂ）は横断面図、（Ｃ）は縦断面図である。
この外装材１は、その上辺および右辺に表面側が切欠かれた合じゃくり２，４が形成され、下辺および左辺にこれに対応して裏面側が切欠かれた合じゃくり３，５が形成されている。上辺の合じゃくり２の上面端部には傾斜面６が形成され、この傾斜面６に対応した傾斜面７ａを有する溝７が下辺の合じゃくり３の隅部に形成される。
【０００６】
図１０（Ａ）は、このような４辺合じゃくり外装材を並設した外壁の正面図である。
複数枚の外装材１が縦横に並べて設けられる。外装材１は複数本の柱２０間に取付けられ、上下の外装材１同士は複数個の留め金具２３で相互に保持されるとともに躯体側に取付けられる。各留め金具２３は、柱２０および隣接する柱２０間に設けた複数の間柱（図示しない）に固定される。左右両端の外装材１の端部はハット型ジョイナー２４（図１３参照）により出隅のコーナー材（図示しない）に接合される。各外装材１は隣接する外装材１と縦および横の４辺で合じゃくり接合され、その接合部に縦目地２５および横目地２６が形成される。これらの縦および横方向の合じゃくり接合部の突き合せ面には、後述のように、それぞれ外装材の外面側および内面側で左右方向および上下方向ずれた位置に、縦継目２５ａ，２５ｂおよび横継目２６ａ，２６ｂ（後述の図２、図４、図１１、図１２参照）が形成される。このうち外壁面に表われる縦目地２５および横目地２６は、それぞれ合じゃくり接合部の外面側の縦継目２５ａおよび横継目２６ａにより形成される。
【０００７】
図１１は、図１０（Ａ）の外装材の上下間の取付け構造を示す。（Ａ）は垂直方向断面図、（Ｂ）は留め金具２３の斜視図である。
間柱１６（または柱２０）に透湿防水シート１５を介して縦胴縁１４が固定される。この縦胴縁１４に留め金具２３が取付けられる。この留め金具２３は、複数の取付け孔２３ａ（図１１（Ｂ））のうち１つ又は２つ以上を適宜選択して釘１３により縦胴縁１４に固定される背面板１１と、これと一体の板金を折り曲げて形成した側面視が略Ｙ字状の係止片１０とを有する。このＹ字状の係止片１０の両片を下側の外装材１の合じゃくり２の傾斜面６および上側の外装材１の合じゃくり３の溝７の傾斜面７ａに対し斜面上から押えて係止する。これにより、上下の外装材１同士が連結されるとともに躯体側に固定される。
【０００８】
上下外装材同士の合じゃくり接合部の突き合せ端面間には若干の隙間が形成され、上下にずれた位置の外面側および内面側に横継目２６ａ，２６ｂが形成される。このうち外壁に表われる横目地２６（図１０）は、外面側の横継目２６ａである。留め金具２３のＹ字を形成する係止片１０は内面側の横継目２６ｂの隙間に装着される。
【０００９】
なお、外面側の横継目２６ａは、設計上は隙間が生じない突き付け状態で配設されるが、現場での施工上極く僅か（１ｍｍ以下）の隙間が生じる場合がある。外壁表面に表われる横目地２６は、このような本来（設計上）隙間のない横継目２６ａにより形成される（本明細書中および図面中の他の部分の記載において同じ）。
【００１０】
図１２は、左右（横方向）に隣接する外装材１同士の縦方向の接合部を示す水平断面図である。
柱２０に透湿防水シート１５を介して固定された縦胴縁１４上で、両外装材１同士が合じゃくり４，５を介して接合される。この場合、合じゃくり接合部の突き合せ端面には施工上左右にずれた若干の隙間が外面側および内面側に形成され、これらの隙間により縦継目２５ａ，２５ｂが形成される。このうち外壁に表われる縦目地２５（図１０）は、外面側の縦継目２５ａである。外装材１の上下端部の柱２０に留め金具（図示しない）が装着され、前述（図１１）のように各外装材１を保持する。
【００１１】
なお、この縦継目の部分についても、前述の横継目の部分と同様に、外面側の縦継目２５ａは、設計上は隙間が生じない突き付け状態で配設されるが、現場での施工上極く僅か（１ｍｍ以下）の隙間が生じる場合がある。外壁表面に表われる縦目地２５は、このような本来（設計上）隙間のない縦継目２５ａにより形成される（本明細書中および図面中の他の部分の記載において同じ）。
【００１２】
図１３は出隅部の取付け構造を示す水平断面図である。
出隅部の柱２０に取付けられたコーナー材（サイディングと同質の出隅）２７に対し、ハット型ジョイナー２４を介して外装材１が接合される。この出隅側端部の外装材１は合じゃくりが切り落とされ寸法調整されている。この接合部の継目にはシーリング材２８が充填される。ハット型ジョイナー２４は、板金を図示した断面形状に折曲げ加工した長尺の部材であり、柱２０に沿って前述の図１０の例では３層の外装材１にわたって配設される。
【００１３】
このような取付け構造の外装材１を装着した建物躯体に対し、地震等により層間変位が生じると、図１０（Ｂ）に示すように、上下各層の外装材１が横方向にスライドして層間変位により外装材１に作用する力を逃して外装材や躯体側部材の破損を防止することができる。
【００１４】
【発明が解決しようとする課題】
しかしながら、上記従来の４辺合じゃくり外装材の取付け構造においては、層間変位が復帰して躯体の柱が元の垂直方向に戻った場合、縦目地２５が完全に元の位置に戻らず、上下層間で目地ずれを起こすおそれがあった。これは、層間変位時及びその復帰時に、左右両端の出隅部のハット型ジョイナーからの作用によってのみ外装材１に対し躯体側から横方向に力が作用するため、柱が完全に垂直に戻っても、中間の外装材の縦目地部分においては各外装材１に作用する力がばらつくとともに柱との位置関係がずれ易くなるためと考えられ、また上下各層で横方向に作用する力が異なるためと考えられる。
【００１５】
本発明は上記従来技術を考慮したものであって、４辺合じゃくり外装材の縦方向目地の層間変位復帰時における位置ずれを防止した外装材の取付け構造およびその横ずれ防止部材の提供を目的とする。
【００１６】
【課題を解決するための手段】
前記目的を達成するため、本発明では、少なくとも縦方向の両辺に合じゃくりが施された複数枚の外装材を躯体外壁面に並設した外装材の取付け構造において、横方向に隣接する外装材の合じゃくり継目部の隙間に、該躯体の層間変位復帰時に外装材の横方向の位置を所定位置に復帰させるための、躯体側から突出する横ずれ防止部材を挿入して設けたことを特徴とする外装材の取付け構造を提供する。
【００１７】
この構成によれば、躯体の層間変位時およびその復帰時に、左右に隣接する外装材の縦方向合じゃくり継目部の隙間に、躯体側に固定した横ずれ防止部材を挿入するため、躯体側に層間変位が生じたときにこの横ずれ防止部材が各外装材をその左右一方の縦辺側から押圧して各外装材を躯体側変位に応じて変位させるとともに、層間変位復帰時に、躯体側が元の垂直な位置に戻ったときに、この躯体側に固定された横ずれ防止部材が、各外装材をその左右一方の縦辺側から押圧して各外装材を躯体側の戻り動作に応じて元の位置に戻す。
【００１８】
好ましい構成例では、前記横ずれ防止部材は、合じゃくり継目部の隙間に係入する押圧片を有し、この押圧片は層間変位時に垂直方向に保たれるように躯体に対し回動可能に取付けられたことを特徴としている。
【００１９】
この構成によれば、横ずれ防止部材の押圧片は、躯体側が傾斜したときに常に垂直方向に保たれるように躯体に対し回動して、各外装材の縦辺に対し垂直方向から押圧する。
【００２０】
本発明では、さらに、隣接する外装材の縦方向の合じゃくり継目部の隙間に係入する押圧片と、この押圧片を躯体側に取付けるための取付け部とを有することを特徴とする外装材の横ずれ防止部材を提供する。
この構成の横ずれ防止部材の押圧片を合じゃくり継目の隙間に挿入して用いることにより、上記本発明の横ずれを防止する取付け構造が実施可能となる。
【００２１】
【発明の実施の形態】
以下図面を参照して本発明の実施の形態について説明する。
図１（Ａ）は、本発明の実施の形態に係る外装材の取付け構造による外壁面の正面図である。
【００２２】
複数枚の４辺合じゃくり外装材１が縦横に並べて設けられる。外装材１は複数本の柱２０間に取付けられ、上下の外装材１同士は複数個の留め金具２３で相互に保持されるとともに躯体側に取付けられる。各留め金具２３は、前述の図１１に示すものと同じ構造であり、複数の柱２０および隣接する柱２０間に設けた複数の間柱（図示しない）に固定される。左右両端の外装材１の端部はハット型ジョイナー２４により出隅のコーナー材（前述の図１３参照）に接合される。各外装材１は隣接する外装材１と合じゃくり接合され、縦および横の接合部に前述のように縦目地２５および横目地２６が形成される。
【００２３】
本発明においては、左右方向に隣接する外装材１間の縦継目２５ｂ（図１２参照）の隙間に、各外装材１の縦辺の下端部の位置で躯体の柱２０に固定した横ずれ防止部材３１を挿入している。
【００２４】
このような横ずれ防止部材３１を各外装材の縦継目の下端部に設けることにより、建物躯体に対し地震等により層間変位が生じると、横ずれ防止部材３１が柱２０とともに横方向に変位して各外装材１を横方向に押圧し、図１（Ｂ）に示すように、上下各層の外装材１が横方向にスライドして層間変位により外装材１に作用する力を逃す。さらに、層間変位が復帰する場合、各横ずれ防止部材３１が柱２０とともに元の位置に戻り、この戻り動作とともに各外装材１を戻り方向に押圧して各外装材を元の位置に復帰させる。
【００２５】
図２は、本発明の実施の形態に係る横ずれ防止構造の要部構成説明図であり、（Ａ）は正面図、（Ｂ）は（Ａ）のＢ−Ｂ部分の水平断面図である。また、図３（Ａ）（Ｂ）はそれぞれ、図２の横ずれ防止部材３１の断面図および平面図である。
この実施形態では、Ｌ字断面形状の板金の折曲げ加工品からなるＬ字金具を横ずれ防止部材３１として用いている。横ずれ防止部材３１は、外装材１の合じゃくり接合部の隙間（図２（Ａ）で点線で示す内面側の縦継目２５ｂ）に挿入される押圧片３１ａと、これを躯体の柱に取付けるための取付け片３１ｂからなる。この横ずれ防止部材３１の寸法は、外装材の大きさ等に応じて定められ、例えば４５５ｍｍ×１８２０ｍｍの矩形外装材に対し、縦ａが９０ｍｍ程度、横ｂが３０ｍｍ程度であり、突出高さｃは合じゃくりの厚さに合わせて形成され、例えば７〜１０数ｍｍ程度である。
【００２６】
外装材１を取付ける場合、まず図２の左側の外装材１が取付けられる。次に、Ｌ字状の横ずれ防止部材３１がその押圧片３１ａを外装材１の合じゃくり４に押し当てて装着され、釘またはビス等により柱に取付けられる。その後、図の右側の外装材１が、その合じゃくり５を相手側の外装材の合じゃくり４に整合させて取付けられる。これにより、押圧片３１ａを挟んで左右両側の外装材１同士が合じゃくり接合される。留め金具（図示しない）は、柱２０または間柱に固定した胴縁１４に取付けられ、前述の図１１に示したように、各外装材１の上下の縁を保持する。
【００２７】
この実施形態においては、横ずれ防止部材３１の取付け片３１ｂのほぼ中央部に１つの取付け孔３３が設けられる。この１ヵ所の取付け孔３３を通して釘またはビスによりこのＬ字金具からなる横ずれ防止部材３１が柱に取付けられる。このようなＬ字金具の取付け構造により、前述の図１（Ｂ）に示したように、層間変位が起きて柱２０が若干傾斜したときに、横ずれ防止部材３１は、柱２０に対し中央１ヵ所の取付け部廻りに回動して常に垂直な状態で左右の外装材１の縦継目２５ｂに係合して横方向に効率よく作用して押圧することができる。なお取付け片３１ｂに、複数の取付け孔３３を形成してそのうち１つのみを使用してもよい。
【００２８】
このようなＬ字状の横ずれ防止部材３１は、図示したような各外装材１の下端部に装着される個々のピース状の部材に代えて、上下複数層の外装材にわたって連続するバー状の長尺部材であってもよい。この場合、層間変位が起きると、柱２０とともにこれに固定された長尺の横ずれ防止部材３１も変位して傾斜するが、通常の層間変位であれば、躯体の傾きは極く僅かであり、横ずれ防止部材３１の押圧片３１ａが柱２０とともに傾いても、左右の外装材１に対する押圧作用への影響は小さく、左右の外装材に対する押圧力は充分に得られる。
【００２９】
図４は、本発明の別の実施の形態を示し、（Ａ）は正面図、（Ｂ）は（Ａ）のＢ−Ｂ部分の水平断面図、（Ｃ）は（Ａ）のＣ−Ｃ部分の垂直断面図である。また図５は、この実施形態に使用した横ずれ防止部材を示し、（Ａ）は正面図、（Ｂ）は底面図、（Ｃ）は側面図である。
【００３０】
この実施形態は、留め金具と横ずれ防止部材とを同一部材として一体形成したものである。この横ずれ防止部材３２は、係止片３２ａと、取付け板３２ｂと、２つの留め金具部３２ｃが１枚の板金から加工成形される。押圧片３２ａは、取付け板３２ｂの中央部を直角に切り起こして形成される。取付け板３２ｂには２ヵ所に取付け孔３４が形成される。使用時には、このうち１つのみ使用して前述のように柱２０に対し回動可能に取付けることもできる。なお、２ヵ所の取付け孔３４を両方用いて取付け板３２ｂを柱２０に固定しても、前述のように、通常の層間変位であれば、躯体の傾きは極く僅かであり、横ずれ防止部材３２の押圧片３２ａが柱とともに傾いても、左右の外装材１に対する押圧作用への影響は小さく、左右の外装材に対する押圧力は充分有効に得られる。３５は補強用のリブであり、プレス加工で形成される。
【００３１】
留め金具部３２ｃは、上側の外装材を保持する係止片３２ｄと、下側の外装材を保持する係止片３２ｅと、下側の外装材の裏側を保持する係止片３２ｆとにより形成される。この留め金具部３２ｃにより、図４（Ｃ）に示すように、上下の外装材１がその合じゃくり接合部を介して、前述の図１１に示した留め金具を用いた場合と同様に、躯体側に保持される。
【００３２】
横ずれ防止部材３２の寸法は、例えば縦ａが３０ｍｍ程度、横ｂが９０ｍｍ程度、押圧片３２ａの突出高さｃが７〜１０ｍｍ程度である。この横ずれ防止部材３２を柱２０の縦胴縁１４に取付け、押圧片３２ａを挟んで左右外装材の合じゃくり部を装着する。押圧片３２ａは、図２のＬ字金具の実施形態と同様に、左右外装材１の合じゃくり４，５間の内面側の突き合せ端面間に形成された縦継目２５ｂの隙間に装着される。
【００３３】
図６は、本発明のさらに別の実施の形態に係る横ずれ防止部材の形状を示し、（Ａ）は正面図、（Ｂ）は底面図、（Ｃ）は側面図である。
この実施形態の横ずれ防止部材３６は、押圧片３６ａと、取付け板３６ｂと、留め金具部３６ｃとからなる。この横ずれ防止部材３６は、その押圧片３６ａの長さが前述の図５の例の押圧片３２ａより長く形成されている以外は、図５の横ずれ防止部材３２と同様の構成である。
【００３４】
図７は、本発明のさらに別の実施の形態の構成説明図であり、（Ａ）は水平断面図、（Ｂ）は横ずれ防止部材単品の断面図である。
この実施形態は、Ｔ字断面形状の横ずれ防止部材３７を用いたものである。この横ずれ防止部材３７は、（Ｂ）に示すように、板金の折曲げ加工により押圧片３７ａおよび取付け片３７ｂが形成される。図７（Ａ）のように外装材１を取付ける場合、まず、図の右側の外装材１を取付ける。次に、この外装材１の合じゃくり５の下側にＴ字の横ずれ防止部材３７の取付け片３７ｂを挿入し、押圧片３７ａをこの合じゃくり５の端面に押し当て反対側の取付け片３７ｂを釘３８により柱２０に固定する。その後、図左側の外装材１をその合じゃくり４を右側の外装材１の合じゃくり５に整合させて取付ける。
【００３５】
このようなＴ字状の横ずれ防止部材３７は、前述の実施形態と同様に、外装材の合じゃくり部分の寸法や柱等の躯体側の寸法に適合させて形成される。なお、各外装材１に対し個々のピース状の横ずれ防止部材３７を配設してもよいし、前述のＬ字状金具の例で説明したように、上下複数層にわたる長尺のバー状のＴ字状部材として形成してもよい。
【００３６】
図８は、本発明のさらに別の実施の形態の構成説明図であり、出隅部の取付け構造を示す。
この例は、出隅のコーナー材３９と外装材１とが合じゃくりにより接合される例を示す。このような出隅の合じゃくり接合部に、前述の図７の実施形態のＴ字状横ずれ防止部材３７が装着される。Ｔ字状横ずれ防止部材３７に代えて、図３のＬ字状横ずれ防止部材３１を用いてもよい。また、これらのＴ字またはＬ字の横ずれ防止部材は、各外装材に対応した個々のピース状の部材であってもよいし、複数の外装材に沿った長尺のバー状の部材であってもよい。
このように、出隅部を合じゃくり接合構造として、この出隅部の合じゃくり接合の縦継目２５ｂに横ずれ防止部材３７（又は３１）を装着することにより、横ずれ防止効果がさらに高められる。
【００３７】
【発明の効果】
以上説明したように、本発明では、躯体の層間変位時およびその復帰時に、左右に隣接する外装材の縦方向合じゃくり継目部の隙間に、躯体側に固定した横ずれ防止部材を挿入するため、躯体側に層間変位が生じたときにこの横ずれ防止部材が各外装材をその左右一方の縦辺側から押圧して各外装材を躯体側変位に応じて変位させるとともに、層間変位復帰時に、躯体側が元の垂直な位置に戻ったときに、この躯体側に固定された横ずれ防止部材が、各外装材をその左右一方の縦辺側から押圧して各外装材を躯体側の戻り動作に応じて元の位置に戻す。これにより、外装材の縦方向の目地ずれが防止される。
【図面の簡単な説明】
【図１】  本発明に係る外装材取付け構造の外壁面の正面図であり、（Ａ）は通常時の状態、（Ｂ）は層間変位時の状態の説明図。
【図２】  本発明に係る横ずれ防止構造の実施形態の構成説明図。
【図３】  図２の実施形態に使用した横ずれ防止部材の構成説明図。
【図４】  本発明の別の実施形態の構成説明図。
【図５】  図４の実施形態に使用した横ずれ防止部材の構成説明図。
【図６】  本発明のさらに別の横ずれ防止部材の構成説明図。
【図７】  本発明のさらに別の実施形態の構成説明図。
【図８】  本発明のさらに別の実施形態の構成図。
【図９】  ４辺合じゃくり外装材の形状説明図。
【図１０】  従来の外装材取付け構造の構成説明図。
【図１１】  留め金具を用いて外装材を合じゃくり接合した垂直断面構成図および留め金具の斜視図。
【図１２】  従来の外装材の縦方向合じゃくり接合部の水平断面図。
【図１３】  出隅部の外装材の取付け構造を表わす水平断面図。
【符号の説明】
１：外装材、２，３，４，５：合じゃくり、１４：縦胴縁、
１５：透湿防水シート、１６：間柱、２０：柱、２３：留め金具、
２４：ハット型ジョイナー、２５：縦目地、２５ａ，２５ｂ：縦継目、
２６：横目地、２６ａ，２６ｂ：横継目、
３１：横ずれ防止部材、３１ａ：押圧片、３１ｂ：取付け片、
３２：横ずれ防止部材、３２ａ：押圧片、３２ｂ：取付け板、
３２ｃ：留め金具部、３２ｄ，３２ｅ，３２ｆ：係止片、
３３，３４：取付け孔、３５：補強リブ、３６：横ずれ防止部材、
３６ａ：押圧片、３６ｂ：取付け板、３６ｃ：留め金具部、
３７：横ずれ防止部材、３７ａ：押圧片、３７ｂ：取付け片、３８：釘、
３９：コーナー材
【図１】
0003884888.tif 000002
【図２】
0003884888.tif 000003
【図３】
0003884888.tif 000004
【図４】
0003884888.tif 000005
【図５】
0003884888.tif 000006
【図６】
0003884888.tif 000007
【図７】
0003884888.tif 000008
【図８】
0003884888.tif 000009
【図９】
0003884888.tif 000010
【図１０】
0003884888.tif 000011
【図１１】
0003884888.tif 000012
【図１２】
0003884888.tif 000013
【図１３】
0003884888.tif 000014